(57)【要約】【課題】簡単な仕切り片の構造であるにも関わらず、収納物の頂部が包装箱の構成シートに接触しない包装形態を示すことができる包装箱と、この包装箱を用いた収納構造の提供を図る。【解決手段】蓋付きの筒状の本体１０を備えた包装箱において、仕切り片２５を備えた仕切り付きフラップ２３を設ける。仕切り片２５は、本体１０内の複数の収納物６０の間に差し込まれることにより、収納物６２の上下動が抑制される。仕切り片２５は、折り目線５４を介して設けられた補助フラップ２６を備えることにより、その強度が高まる。【選択図】図１
0003212265.tif 000002
【実用新案登録請求の範囲】
【請求項１】
筒状の本体と、前記本体の開口端を閉じる蓋と、前記本体から延設されたフラップとを備え、前記フラップを前記蓋の内側に折り込んで前記蓋が閉じられる包装箱において、
前記フラップの少なくとも１つは、仕切り片を備えた仕切り付きフラップであり、
前記仕切り片が本体内に配置される複数の収納物の間に挟まれることによりその動きが規制され、前記仕切り付きフラップが延設された前記本体の側壁と前記仕切り片との間に配置された前記収納物の上下動が抑制されるように構成されたことを特徴とする包装箱。
【請求項２】
前記仕切り片は、折り目線を介して設けられた補助フラップを備え、
前記補助フラップは、前記本体に面接触するように構成されたことを特徴とする請求項１記載の包装箱。
【請求項３】
前記本体は、右側壁、前壁、左側壁及び後壁を備えた多角筒状をなし、
前記蓋は前記前壁又は前記後壁から折り目線を介して延設され、
前記仕切り付きフラップは、前記右側壁と前記左側壁との少なくとも何れか一方から折り目線を介して延設されたフラップと、このフラップから折り目線を介して延設された前記仕切り片とから構成されていることを特徴とする請求項１又は２に記載の包装箱。
【請求項４】
請求項１〜３の何れかに記載の包装箱と、前記包装箱に収納された前記複数の収納物とを備え、
前記複数の収納物は、対向して配置された側壁間に並べて収納され、
前記複数の収納物は前記側壁同士の間に隙間のない状態で配置されていることにより、前記仕切り片の動きが規制され、
前記仕切り付きフラップが延設された前記側壁と前記仕切り片との間に配置された前記収納物は、前記本体よりも背が低い短寸の収納物であり、
前記短寸の収納物の上下動が前記仕切り片によって抑制されることにより、前記短寸の収納物と前記蓋との間に空間が維持されるように構成されたことを特徴とする包装構造。
【考案の詳細な説明】
【技術分野】
【０００１】
本考案は、包装箱とその包装構造に関するものである。
【背景技術】
【０００２】
従来、包装物の安定を図るために仕切りを備えた包装箱が種々用いられている。
例えば特許文献１には、梱包箱の四角筒状の側壁部を構成する第１〜第４側板の下端にそれぞれ第１〜第４底板を接続し、前記第１〜第４底板を前記第１〜第４側板の下端に対して折り曲げて前記梱包箱の平坦な底壁部を構成し、前記第１〜第４底板のうちの相互に対向する第１、第３底板に折り線を介してそれぞれ第１仕切り板および第２仕切り板を接続し、前記第１仕切り板および前記第２仕切り板により前記梱包箱の内部空間を二つに仕切る梱包箱の組立構造であり、第１仕切り板および第２仕切り板は傾斜して伸びている梱包箱の組立構造が示されている。
ところが、特許文献1にかかる梱包箱にあっては、第１仕切り板および第２仕切り板を接着などで接続する必要があり、構造が複雑で、組み立てなどに手間がかかるものであった。
【０００３】
特許文献2に係る発明にあっては、上下方向の衝撃に対して収容物を保護する緩衝機能と、収容物同士の衝突に対する保護機能の両方を備え、組み立ても容易な緩衝中仕切り付き包装用箱を提供するものである。具体的には、一枚の箱体形成片から成り、箱体形成片を構成する各４側面板は、互いに平行な折罫線を有している。側面板の底面側に、底フラップから延出して、緩衝支持部を備える。緩衝支持部は、緩衝片と緩衝底面部及び緩衝糊付片を備える。緩衝片と緩衝底面部の側方に、緩衝中仕切り片が延出し、緩衝中仕切り片と緩衝底面部との間に切り込みを有する。組み立て状態で、緩衝支持部が、底フラップから所定間隔を空けて箱体内の空間に一体的に設けられ、箱体内の空間を緩衝中仕切り片が仕切る構造を示すものである。
ところが、特許文献２にかかる緩衝中仕切り付き包装用箱にあっては、フラップの構造が複雑になり、組み立てなどに手間がかかるものであった。
【０００４】
特許文献３に係る発明にあっては、収納物の取り出し易い包装箱を提供することを課題とするものである。この発明にかかる包装箱は、複数個の筒状の収納物を起立した状態で収納するもので、前側壁、該前側壁の縦方向に対向する後側壁、該前側壁の横方向の右側に位置する右側壁、該前側壁の横方向の左側に位置する左側壁、及び該各側壁の高さ方向の下端に位置する底面部を有し、該各側壁及び該底面部によって前記複数個の収納物を収納する収納空間を形成する箱本体と、前記収納物が横方向に並んで配置される行配列空間が縦方向に複数形成されるように、前記収納空間を分割する仕切板とを備え、隣接する前記収納物を載置する前記箱本体の底面部の高さが異なっている構造を示すものである。
【０００５】
この包装箱は、複数個の筒状の収納物を起立した状態で、収納物が上下に動かないようにして収納するものではあるが、収納物の頂部は包装箱の構成シートに接触した状態で収納されるものであり、非接触な状態で収納されるにもかかわらずその上下動が抑制される構造を示すものではなかった。
【０００６】
またこれら何の文献にかかる包装箱にあっても、その仕切りのみの構造によって所定の仕切り構造を形成するものであった。言い換えれば、収納物の有無に関わらず、仕切りのみで所定の形状を保つように構成するものであったため、仕切り片の構造が複雑化することを避けることができなかった。
【先行技術文献】
【特許文献】
【０００７】
【特許文献１】特許6053747号公報
【特許文献２】特開2015-13672号公報
【特許文献３】特開2015-174684号公報
【考案の概要】
【考案が解決しようとする課題】
【０００８】
本考案は、簡単な仕切り片の構造であるにも関わらず、収納物の上部と包装箱の蓋との間に空間が維持される包装形態を示すことができる包装箱と、この包装箱を用いた収納構造を提供することを課題とする。
本考案の他の目的は、簡単な組立及び梱包作業を実現することができる包装箱と、この包装箱を用いた収納構造を提供することにある。
【課題を解決するための手段】
【０００９】
本考案者は、仕切り自体の構造によってに仕切りの固定強度を高めるという従来の仕切りに関する発想とは異なり、収納物を仕切りの固定のために積極的に利用するという新たな発想により、上記の課題を解決した。
本考案は、筒状の本体と、前記本体の開口端を閉じる蓋と、前記本体から延設されたフラップとを備え、前記フラップを前記蓋の内側に折り込んで前記蓋が閉じられる包装箱に関するものであり、前記フラップの少なくとも１つは、仕切り片を備えた仕切り付きフラップであり、前記仕切り片が本体内に配置される複数の収納物の間に挟まれることによりその動きが規制され、前記仕切り付きフラップが延設された前記本体の側壁と前記仕切り片との間に配置された前記収納物の上下動が抑制されるように構成されたものである。
具体的には、筒状の本体と、前記本体の後壁又は前壁から延設された開閉可能な蓋と、前記後壁に隣り合う側壁から延設されたフラップとを備え、前記フラップを前記蓋の内側に重ねた状態で前記蓋が閉じられる包装箱において、前記フラップの少なくとも１つは、仕切り片を備えた仕切り付きフラップであり、前記仕切り片が、本体内に配置される複数の収納物の間に差し込まれることによって、前記仕切り付きフラップが延設された前記側壁と前記仕切り片との間に配置された前記収納物の上下動が抑制されるように構成されることができる。
【００１０】
前記仕切り片は、折り目線を介して設けられた補助フラップを備え、組み立て状態において、前記補助フラップを前記後壁又は前記前壁に面接触させることが、前記仕切り片の強度を高める点で望ましい。
より具体的には、前記本体は、右側壁、前壁、左側壁及び後壁を備え、前記蓋は折り目線を介して前記後壁から延設され、前記仕切り片を備えた前記フラップは、折り目線を介して後壁から延設され、前記仕切り片は、折り目線を介して前記フラップから延設されているものとして実施することができる。
【００１１】
また本考案は、上記の包装箱と、前記包装箱に収納された前記複数の収納物とを備えた包装構造を提供するものである。この包装構造にあっては、前記複数の収納物は、前記包装箱の左右に対向して配置された前記側壁間に並べて収納され、前記複数の収納物は左右方向に隙間のない状態で配置されていることにより、前記仕切り片の左右方向の動きが規制される。また、前記仕切り付きフラップが延設された前記側壁と前記仕切り片との間に配置された前記収納物は、前記本体よりも背が低い短寸の収納物であり、前記短寸の収納物の上下動が前記仕切り片によって抑制されることにより、前記短寸の収納物と前記蓋との間に空間が維持される。
【考案の効果】
【００１２】
本考案は、従来の仕切りに関する発想とは異なり、収納物を仕切りの固定のために積極的に利用するという新たな発想により、簡単な仕切り片の構造であるにも関わらず、収納物の上部と包装箱の蓋との間に空間が維持される包装形態を示すことができる包装箱と、この包装箱を用いた収納構造を提供することができたものである。
【００１３】
また本考案に係る包装箱と収納構造は、仕切り片を挟んだ状態に収納物を配置するだけでよく、仕切り付きフラップを本体に接着固定する必要はないため、簡単な組立及び梱包作業を実現することができる。
【図面の簡単な説明】
【００１４】
【図１】本考案の実施の形態に係る包装箱による包装形態の説明図。
【図２】同包装箱の展開図。
【考案を実施するための形態】
【００１５】
以下、図面を参照しつつ本考案の実施の形態を説明する。
（包装箱の概要）
この実施の形態に係る包装箱は、組立状態において直方体を構成するもので、四角筒状の本体１０と、底３０と蓋２４を備える。この包装箱の基本形状は、従来周知の包装箱と実質的に同じであり、一般の包装箱に加えられる種々の変更を、この実施の形態に係る包装箱に対して加えることも可能である。
この実施の形態に係る包装箱の特色は、左フラップ２３に仕切り片２５が設けられている点である。この仕切り片２５は収納物６０同士（第１収納物６１と第２収納物６２）の仕切りとして機能する。
【００１６】
（展開状態）
まず図２を参照して、展開状態の包装箱について説明する。
この包装箱は、それぞれ同じ高さの長方形の右側壁１１、前壁１２、左側壁１３、後壁１４及び後壁糊代１５が、縦折り目線５１を介して連設されており、後壁糊代１５が右側壁１１に接着などで接続固定されることによって、筒状の本体１０が構成される。
【００１７】
右側壁１１の上には右フラップ２１が、前壁１２の上には前フラップ２２が、左側壁１３の上には左フラップ２３が、後壁１４の上には蓋２４が、それぞれ上折り目線５２を介して連設されている。組立状態においては、前フラップ２２が前壁１２に重ねられ、必要に応じて接着されて、開口部の補強をなすが、この前フラップ２２は省略して実施することも可能である。
【００１８】
蓋２４には、その先端に蓋折り目線５５を介して差し込み片２７が連設されている。組立状態においては右フラップ２１と左フラップ２３が先に折り曲げられ、ついで蓋２４がその上に被さるように折り曲げられ、差し込み片２７が本体１０の内部に差し込まれることによって、蓋が閉じられる。
左フラップ２３には、その先端に仕切り折り目線５３を介して仕切り片２５が連設されており、仕切り片２５には、その左右何かの側部（この例では右側）に補助折り目線５４を介して補助フラップ２６が連設されている。
【００１９】
右側壁１１の下には右底３１が、前壁１２の下には前底３２が、左側壁１３の下には左底３３が、後壁１４の下には後底３４が、それぞれ下折り目線５６を介して連設されている。前底３２と後底３４のそれぞれには、糊代折り目線５７を介して前底糊代３５と後底糊代３６が連設されている。前底糊代３５と後底糊代３６は、それぞれ右底３１と左底３３に対して接着などで接続固定されることによって、折りたたみ可能な底３０が形成される。
【００２０】
（組立状態と収納構造）
組立時には、仕切り片２５と補助フラップ２６を除いて一般的な包装箱と同様に組み立てることができ、上部の開口端から収納物６０の出し入れをすることができる。
【００２１】
仕切り片２５は、第１収納物６１と第２収納物６２の間に挟まれるように配置されるものである。なおこの例では収納物６０として第１収納物６１と第２収納物６２だけを示したが、さらに多くの物品を収納物６０として収納することも可能である。
これらの収納物６０は、右側壁１１と左側壁１３の間に並べて収納され、収納物６０（第１収納物６１と第２収納物６２）同士は左右方向に互いに隙間のない状態で配置されている。したがって差し込まれた仕切り片２５は、収納物６０（第１収納物６１と第２収納物６２）同士に挟まれることによって左右方向の動きが規制される。その結果、仕切り片２５を本体１０に接着などで固定しなくとも、不用意に仕切り片２５が動いてしまうことはない。なお、図示の収納物６０は、その底が包装箱の底３０に接した状態で、立てて配置されているが、包装箱は立てたり横にしたり斜めにしたりされることは、他の包装箱と同じである。
【００２２】
左側壁１３と仕切り片２５との間に配置された第２収納物６２は、本体１０よりも背が低い短寸の収納物であり、本体部６３の上に上部付属品６４が設けられている。具体的には、本体部６３として化粧料や洗浄剤などの液体を収納したボトル本体を示すことができる。上部付属品６４としては、ボトル本体に取り付けられたノズルやスパウトを示すことができ、特に本体部６３よりも脆弱性が高いものを例示することができる。ここで脆弱性が高いとは、外部からの力によって破損される物理的強度が低いものの他、破損されなくても変形したり外れたりする可能性が高いものをも含むものであり、収納前の状態を維持することが本体部６３に比べて困難であることを意味する。なお、これは単に一つの例であり、第１収納物６１や第２収納物６２の種類や形態は種々変更して実施することができる。
【００２３】
（仕切り片の機能）
第２収納物６２は短寸の収納物であるため、仕切り片２５は仕切り折り目線５３から斜め下方（図１では左上から右下）に傾斜して配置され、その先端側の部分が第２収納物６２と第１収納物６１との間に挟まれ、その動きが規制される。その結果、第２収納物６２が上方に動こうとしても、仕切り片２５によってその動きが抑制される。これにより、第２収納物６２と蓋２４との間に空間が維持される。特に第２収納物６２は多少上下に動くことがあったとしても、仕切り片２５が蓋２４に重なるように完全に変形してしまうまでは、上部付属品６４と蓋２４との間の空間は維持することができる。
特にこの実施の形態にあっては、補助フラップ２６を仕切り片２５に設けることで、その強度が高められている。この補助フラップ２６は、仕切り片２５に対して補助折り目線５４から直角に折り曲げられて前壁１２に面接触しているため、仕切り片２５が上記のように完全に変形してしまうことを、防止することができる。仕切り片２５が完全に変形してしまうためには、仕切り片２５がその途中で直角に折り曲がってしまう必要があるが、仕切り片２５の長手方向に沿って補助フラップ２６が設けられているため、補助フラップ２６が破れてしまわない限り仕切り片２５が完全に変形してしまうことはない。このように補助フラップ２６は仕切り片２５の強度を高めるために有効であるが、仕切り片２５の厚みを大きくするなどして、それ自体の強度が高められた場合には、補助フラップ２６を省略して実施することもできる。またこの例では補助フラップ２６を、仕切り片２５の図１における右側（左側壁１３から遠い側）に設けることによって、上記の変形の可能性をより小さくしているが、補助フラップ２６を反対側（左側壁１３に近い側）に設けて実施することを妨げるものではない。また補助フラップ２６を、前壁１２に接する側に設けて実施しているが、他方の後壁１４に接する側に設けて実施することもできるし、両方に設けて実施することもできる。
【００２４】
（包装方法）
この包装箱は、次の手順によって収納物６０を収納して包装することができる。
最初に本体１０と底３０とを定法によって立体的な組立状態とする。この組み立て状態の本体１０の上部の開口端から、第２収納物６２を本体１０内に左側壁１３に沿わせて収納する。次に、左フラップ２３を折り曲げ、仕切り片２５を第２収納物６２の右側に沿わせる。次に、第１収納物６１を仕切り片２５と右側壁１１の間に収納する。最後に右フラップ２１と蓋片２４を折り曲げて差し込み片２７を挿入するだけで完了するもので、一般的な包装箱の収納方法とほとんど同じ簡単な手順で収納状態とすることができる。
収納物６０を取り出す時には上記と逆の手順を行えばよい。その際、仕切り片２５はのり付けなどで固定されていないため、簡単に収納物６０を取り出すことができる。
また包装箱の製造にあたっても、接着箇所は一般的な包装箱と同じであり、従来の包装箱と同様に機械的な連続生産も可能である。
【００２５】
（変更例）
本考案は種々変更して実施することができるものであり、例えば、仕切り片２５は左フラップ２３から延設したものを示したが、右フラップ２１から延設したものであっても構わないし、両方から延設したものであっても構わないし、底３０から延設したものであっても構わない。また左フラップ２３と仕切り片２５との間に仕切り折り目線５３を形成したが、仕切り折り目線５３を形成することなく（言い換えれば左フラップ２３と仕切り片２５との区別をつけることなく）左フラップ２３を通常のフラップよりも長く設けて収納物６０同士の間に差し込むようにしても構わない。本体１０は四角筒形としたが、断面六角形や八角形の他の多角筒形として実施しても構わない。
【符号の説明】
【００２６】
１０  本体
１１  右側壁
１２  前壁
１３  左側壁
１４  後壁
１５  後壁糊代
２１  右フラップ
２２  前フラップ
２３  左フラップ
２４  蓋
２５  仕切り片
２６  補助フラップ
２７  差し込み片
３０  底
３１  右底
３２  前底
３３  左底
３４  後底
３５  前底糊代
３６  後底糊代
５１  縦折り目線
５２  上折り目線
５３  仕切り折り目線
５４  補助折り目線
５５  蓋折り目線
５６  下折り目線
５７  糊代折り目線
６０  収納物
６１  第１収納物
６２  第２収納物
６３  本体部
６４  上部付属品
【図１】
0003212265.tif 000003
【図２】
0003212265.tif 000004